(57)【要約】【課題】  簡素な構造で確実に接続用コネクタをハウジングに固定できるようにする。【解決手段】  電線２に接続された第１コネクタ５をＦＰＣ１に装着された第２コネクタ６に接続し、ハウジング３に第１及び第２コネクタ５，６を固定するＦＰＣ１と電線２との接続用コネクタのハウジング取付構造において、ハウジング３に接続用コネクタを収容する収容部４を形成し、この収容部４に接続用コネクタの第１コネクタ５及び電線２の貫通用穴７を形成し、第１及び第２コネクタ５，６を接続して収容する収容部４に第１コネクタ５の抜け防止手段を設けた。【選択図】  図３
2007028800.tif 000002
【特許請求の範囲】
【請求項１】
電線に接続された第１コネクタをフレキシブルプリント基板（ＦＰＣ）に装着された第２コネクタに接続し、ハウジングに第１及び第２コネクタを固定するＦＰＣと電線との接続用コネクタのハウジング取付構造において、
前記ハウジングに接続用コネクタを収容する収容部を形成し、
この収容部に接続用コネクタの第１コネクタ及び電線の貫通用穴を形成し、
前記第１及び第２コネクタを接続して収容する前記収容部に第１コネクタの抜け防止手段を設けたことを特徴とするＦＰＣと電線との接続用コネクタのハウジング取付構造。
【請求項２】
前記第２コネクタのＦＰＣを介して裏側に補強板を設け、前記貫通用穴とは反対側の収容部に第２コネクタを収容するための開口を形成し、この開口をハウジングに取り付けられるカバーで覆うようにしたことを特徴とする請求項１に記載のＦＰＣと電線との接続用コネクタのハウジング取付構造。
【請求項３】
前記収容部を凹み部で形成し、この凹み部の底板から第１及び第２コネクタに当てがう第１及び第２の突起を形成し、凹み部からの第１及び第２コネクタの抜けを防止したことを特徴とする請求項１又は２に記載のＦＰＣと電線との接続用コネクタのハウジング取付構造。
【請求項４】
前記第１コネクタの両端を空き端子とし、この部分に前記抜け防止手段を構成する第１の突起を当てがうようにしたことを特徴とする請求項１ないし３のいずれか１項に記載のＦＰＣと電線との接続用コネクタのハウジング取付構造。
【請求項５】
前記収容部に補強板両側が差し込まれるガイド部を形成したことを特徴とする請求項２に記載のＦＰＣと電線との接続用コネクタのハウジング取付構造。
【請求項６】
前記貫通用穴の形状を凸形状に形成し、この凸形状の幅の狭い部分の両側長さよりも第１コネクタの両側長さを大きく形成し、第１コネクタを貫通用穴の外縁に当てがうようにしたことを特徴とする請求項５に記載のＦＰＣと電線との接続用コネクタのハウジング取付構造。
【発明の詳細な説明】
【技術分野】
【０００１】
本発明は、フレキシブルプリント基板（ＦＰＣ）と電線とを電気的、機械的に接続するＦＰＣと電線との接続用コネクタをハウジングに固定するためのハウジング取付構造に関する。
【背景技術】
【０００２】
電装品が搭載されたインスツルメントパネル，センターコンソール，ドアといったモジュールにＦＰＣを適用し、このモジュール内でＦＰＣと前記電装品と接続する場合、もともと電装品はワイヤハーネス用（電線用）のコネクタが結合される構造となっているので、これと構造を一致させたＦＰＣ専用のコネクタを新規に起こさねばならず、これがコストアップとなっていた。そこで、ＦＰＣと電線を中継接続し、電装品と電気的に接続する必要があるが、この中継接続の方法として、ＦＰＣの導通部にコネクタのブスバーの爪部を突き刺した状態でカバーと本体部との間でＦＰＣを挟持固定するようにしたので、ＦＰＣは、その長手方向の任意の位置でコネクタに接続でき、配線の自由度が向上し、電線の配線設計に応じて最適の箇所でのＦＰＣと電線の接続が可能となるものが知られている（特許文献１参照）。この従来例では、専用の部材を必要とし、構造が複雑で、部品点数も多く、コストアップになっていた。
【０００３】
ＦＰＣ１と電線２との中継接続には汎用のコネクタ１００を使い、低コストに抑えたいという要求があるなか、これを実現するには図１６のような構成が考えられる。この場合、中継接続の汎用コネクタ１００の部分を確実に固定し、さらに抜け防止を図らなければならない。この抜け防止については、汎用コネクタ１００を安価に抑えようとすると、ロック機構が弱く電線２を引っ張るとすぐに抜けてしまうタイプのものがあるためである。図１６において、符号１０１は電装品、符号１０２は電装品１０１への接続コネクタである。そのため、ＦＰＣ１の固定方法として、専用クリップが開発された（特許文献２参照）。また、抜け防止を図るため電線２をバンドクリップで束ね、このバンドクリップをモジュール筐体（ハウジング）に固定したものも開発された。
【特許文献１】特開２００１−１１８６２１号公報（第３頁、図１）
【特許文献２】特開２００２−２０４０８２号公報（第３頁、図１）
【発明の開示】
【発明が解決しようとする課題】
【０００４】
電線部分にバンドクリップを使用し、ＦＰＣ部分に専用クリップを使用し、夫々をハウジングに固定しても、汎用のコネクタを固定する方法としては、機能的に不足し、振動が加えられたときなどには、当該コネクタ部分の接触不良が生じたりして信頼性が低く、しかも、汎用コネクタに接続する電線側のコネクタが、引張力がかかると抜け易いという不都合も解消されていなかった。
【０００５】
そこで、本発明は、簡素な構造で確実にコネクタをハウジングに固定できるＦＰＣと電線との接続用コネクタのハウジング取付構造を提供することを目的とする。
【課題を解決するための手段】
【０００６】
上述の目的を達成するため、本発明は、電線に接続された第１コネクタをＦＰＣに装着された第２コネクタに接続し、ハウジングに第１及び第２コネクタを固定するＦＰＣと電線との接続用コネクタのハウジング取付構造において、前記ハウジングに接続用コネクタを収容する収容部を形成し、この収容部に接続用コネクタの第１コネクタ及び電線の貫通用穴を形成し、前記第１及び第２コネクタを接続して収容する前記収容部に第１コネクタの抜け防止手段を設けたものである。なお、ここでハウジングとは、例えばインスツルメントパネル、センターコンソール、ドアなどといったモジュールの本体をなす樹脂製の筐体などをいい、カバーとは、例えば意匠面を形成する化粧パネルなどをいう。
【発明の効果】
【０００７】
本発明によれば、電線に接続された第１コネクタをＦＰＣに装着された第２コネクタに接続し、ハウジングに第１及び第２コネクタを固定するＦＰＣと電線との接続用コネクタのハウジング取付構造において、前記ハウジングに接続用コネクタを収容する収容部を形成し、この収容部に接続用コネクタの第１コネクタ及び電線の貫通用穴を形成し、前記第１及び第２コネクタを接続して収容する前記収容部に第１コネクタの抜け防止手段を設けたので、簡単な構造で確実に接続用コネクタをハウジングに固定することができる。また、特別の部材を必要とせずに、ハウジングに接続用コネクタを固定するための収容部などを形成することが容易かつ安価にできる。さらに、全体として軽量化も図ることができる。また、抜け防止手段の形成により、電線が引っ張られても接続用コネクタの互いの接続を確実なものとし、かつハウジングへの固定も十分なものとなる。
【発明を実施するための最良の形態】
【０００８】
以下に、本発明の好適な実施形態について、図面を参照にして説明する。
【０００９】
図１ないし図３において、ハウジング３に形成された収容部４内において電線２に接続された第１コネクタ５をＦＰＣ１に装着された第２コネクタ６に接続している。これら第１及び第２コネクタ５，６が接続用コネクタを構成し、収容部４に収容されるが、この実施形態では、収容部４を凹み部から構成し、この凹み部の底板４Ａに第１コネクタ５及び電線２を貫通させる貫通用穴７を形成してある。また、第２コネクタ６のＦＰＣ１を介して裏側に補強板８を設け、この補強板８が前記貫通用穴７とは反対側にある収容部４の開口９に位置されている。そして、この開口９をハウジング３に取り付けられるカバー１０で覆う。
【００１０】
前記収容部４の底板４Ａには、第１コネクタ５の抜け防止を図るための一対の第１の突起１１が形成してあるとともに、第２コネクタ６の抜け防止を図るための一対の第２の突起１２も形成してある（図３参照）。第１コネクタ５の両端を空き端子とし、この部分に第１の突起１１を当てがっている（図４参照）。通常、電線２が引っ張られて第１コネクタ５が第２コネクタ６から抜け出ようとするので、少なくとも抜け防止手段（突起１１）を第１コネクタ５側に設ける。
【００１１】
図１ないし図５に示す第１の実施形態では、最初に貫通用穴７を通し、開口９上から第１の突起１１と第２の突起１２との間に第１コネクタ５を入れ、この第１コネクタ５に第２コネクタ６を接続して両コネクタ５，６（接続用コネクタ）を第１及び第２の突起１１，１２で囲まれたスペースに収容する。このとき、補強板８が収容部４の蓋をするように第１及び第２の突起１１，１２の先端に当てがわれ、さらにこの補強板８上にカバー１０が取り付けられる。このようにして、ＦＰＣ１と電線２との接続用コネクタ（５，６）が、ハウジング３に確実に固定され、第１と第２の突起１１，１２により両コネクタ５，６の互いの接続も外れるおそれがなくなる。また、特別な部材を用いることなく、ハウジング３に収容部４や突起１１，１２、貫通用穴７などを形成するだけでよく、すなわち接続用コネクタの固定部をプラスチック製モジュール筐体に簡単に成形することができる。
【００１２】
図６以下に第２の実施形態を示す。この例では、モジュール筐体（ハウジング３）の一部に図６に示すような収容部４を形成し、このような収容部４の下方に形成した貫通用穴７（凸形状）から第１コネクタ５を挿入し、上方から第２コネクタ６を収容する。前記収容部４は、第１の実施形態のような凹み部ではなく、補強板８の両側を差し込むようにした一対のガイド部４Ｂを備え、これらガイド部４Ｂを背板４Ｃで連結し、下端に下板４Ｄを設け、この下板４Ｄに平面凸形状の貫通用穴７を形成した。また、第１コネクタ５の電線２は、電装品用の接続コネクタ（図示せず）などに繋がっている。
【００１３】
図７は、図６の中央縦断面を示し、この状態から第１コネクタ５を貫通用穴７の大きな開口幅の穴から収容部４へ挿入して第２コネクタ６との電気的、機械的接続を図る。この貫通用穴７の凸形状の幅の狭い部分（小さな開口幅の穴）の両側長さＤは、図８に示すように、第１コネクタ５の幅よりも小さく形成してあるので、第２コネクタ６と接続された第１コネクタ５を押し下げていくとこの貫通用穴７の長さＤの穴が形成された下板４Ｄに第１コネクタ５の下部が当たり、下方に抜け出なくなる。この実施形態では、この長さＤの穴が、抜け防止手段を構成することとなる。
【００１４】
図９及び図１０は、第１コネクタ５と第２コネクタ６とを接続した状態で、第２コネクタ６はガイド部４Ｂの途中までスライドさせた状態を示す。一対のガイド部４Ｂの上方が、第１の実施形態における開口９に相当する。したがって、開口９側からガイド部４Ｂを介して第２コネクタ６を収容部４へ収容しつつある状態が、図９及び図１０であるといえる。
【００１５】
図１１及び図１２は、第２コネクタ６に接続された第１コネクタ５を下板４Ｄに当たるまで押し下げた状態を示す。この状態において、カバー１０を取り付けるようにする。第１コネクタ５は、凸形状の幅の広い穴を通過することはでき、この貫通用穴７を通過させた後に第２コネクタ６に接続されると、凸形状の幅の狭い穴（長さＤ）の上に位置することとなるので、接続用コネクタ（５，６）を全体として押し下げても下方へ抜け出るのが防止されることとなる。図１３は、前記収容部４をハウジング３に設けた状態を示し、第２コネクタ６の収容部４への収容途中の状態を示すものである。
【００１６】
図１４及び図１５は、モジュール筐体（ハウジング３）の一例を示し、図１４のＸ部分に第２の実施形態を適用した。
【図面の簡単な説明】
【００１７】
【図１】第１の実施形態を示す斜視図。
【図２】カバーを除いた平面図。
【図３】図２のＡ−Ａ線断面図。
【図４】図２のＢ−Ｂ線断面図。
【図５】図２のＣ−Ｃ線断面図。
【図６】第２の実施形態を示す接続前斜視図。
【図７】図６の中央縦断面図。
【図８】図６の下板下方から見た図。
【図９】接続途中の斜視図。
【図１０】図９の中央縦断面図。
【図１１】接続完了後の斜視図。
【図１２】図１１の中央縦断面図。
【図１３】ハウジングと収容部の関係を示す斜視図。
【図１４】モジュール筐体の一例を示す簡略側断面図。
【図１５】図１３のＸ部分拡大図。
【図１６】従来例を示す斜視図。
【符号の説明】
【００１８】
１    ＦＰＣ（フレキシブルプリント基板）
２    電線
３    ハウジング
４    収容部
４Ａ  底板
４Ｂ  ガイド部
４Ｄ  下板
５    第１コネクタ
６    第２コネクタ
７    貫通用穴
８    補強板
９    開口
１０  カバー
１１  第１の突起
１２  第２の突起
【図１】
2007028800.tif 000003
【図２】
2007028800.tif 000004
【図３】
2007028800.tif 000005
【図４】
2007028800.tif 000006
【図５】
2007028800.tif 000007
【図６】
2007028800.tif 000008
【図７】
2007028800.tif 000009
【図８】
2007028800.tif 000010
【図９】
2007028800.tif 000011
【図１０】
2007028800.tif 000012
【図１１】
2007028800.tif 000013
【図１２】
2007028800.tif 000014
【図１３】
2007028800.tif 000015
【図１４】
2007028800.tif 000016
【図１５】
2007028800.tif 000017
【図１６】
2007028800.tif 000018